(57)【特許請求の範囲】
【請求項１】
舌(６)の表面にヘッド（２）の擦過縁(２１)下端が当接するように平行に使用される清掃具において、アーム(４)の長手方向に対してヘッド(２)が４５度屈折し、グリップ(３)の腹点(３１)と擦過縁(２１)とにより一義的に決定される仮想平面(５)に対して、擦過縁(２１)の仮想平面(５)への入射角が４５度に形成され、当該ヘッド(２)において前記擦過縁(２１)下端は上面視で直径14ｃｍの円弧に沿って湾曲し、ヘッド部上端（２２）は上面視で直径12ｃｍの円弧に沿って湾曲し、擦過縁(２１)及びヘッド部上端（２２）を含んだヘッド内側湾曲は直径14ｃｍの球表面の一部に沿って湾曲しており、かつ擦過縁(２１)は下端が仮想平面(５)に水平に当接するように形成してなる舌の清掃具。
【請求項２】
舌(６)の表面にヘッド（２）の擦過縁(２１)下端が当接するように平行に使用される清掃具において、アーム(４)の長手方向に対してヘッド(２)が４５度屈折し、グリップ(３)の腹点(３１)と擦過縁(２１)とにより一義的に決定される仮想平面(５)に対して、擦過縁(２１)の仮想平面(５)への入射角が４５度に形成され、
ヘッド（２）の擦過縁(２１)下端は上面視で直径14ｃｍの円弧に沿って湾曲し、ヘッド部上端（２２）は上面視で直径12ｃｍの円弧に沿って湾曲し、擦過縁(２１)及びヘッド部上端（２２）を含んだヘッド内側湾曲は直径14ｃｍの球表面の一部に沿って湾曲しており、かつ擦過縁(２１)は下端が仮想平面(５)に水平に当接するヘッド（２）を備えたアーム（４）をグリップ（３）に進退自在に設けた舌の清掃具であって、前記アーム(４)上にレバー（７）が取り付けられ、グリップ（３）に設けられたレバー孔（７１）に沿って前記レバー（７）をスライドさせることによってアーム（４）を進退自在に設けたことを特徴とする舌の清掃具。
【請求項３】
舌(６)の表面にヘッド（２）の擦過縁(２１)下端が当接するように平行に使用される清掃具において、アーム(４)の長手方向に対してヘッド(２)が４５度屈折し、グリップ(３)の腹点(３１)と擦過縁(２１)とにより一義的に決定される仮想平面(５)に対して、擦過縁(２１)の仮想平面(５)への入射角が４５度に形成され、
ヘッド（２）の擦過縁(２１)下端は上面視で直径14ｃｍの円弧に沿って湾曲し、ヘッド部上端（２２）は上面視で直径12ｃｍの円弧に沿って湾曲し、擦過縁(２１)及びヘッド部上端（２２）を含んだヘッド内側湾曲は直径14ｃｍの球表面の一部に沿って湾曲しており、かつ擦過縁(２１)は下端が仮想平面(５)に水平に当接するヘッド（２）を備えたアーム（４）をグリップ（３）に進退自在に設けた舌の清掃具であって、グリップ(３)に指先で自由に回転可能なローラー（８）を設け、ローラー（８）の摩擦でアーム（４）を前後動することを特徴とする舌の清掃具。
【請求項４】
前記アーム（４）の付け根は、アーム(４)の長手方向に対してヘッド(２)が屈折している屈折部に比較して強度を落としていることを特徴とする請求項１記載の舌の清掃具。
【発明の詳細な説明】
【０００１】
【発明が属する技術分野】
本発明は、その物理的形状から食べ物等の残滓が付着することが避けられない舌上を歯と同様に清潔に保ち、付着物を原因として発生する細菌等から口内を保護するため、又は口内における味覚刺激を正確に感じ取れるようにするため、ひいては健全な食生活を送るため、舌の表面に擦過縁下端が当接するようにして平行に使用する舌清掃具において、スムーズ性、安全性、利便性、及び吸引性を確保可能にすることができる舌苔すなわち舌の付着物を取り除く舌清掃具に関する。
【０００２】
特に本発明は口内清掃の使用感、快適性に着目し、その安全性、吸引機能を大きく損なう事がなく優れた使用感、快適性を及ぼすことを可能にした口内清掃に寄与する舌清掃具に関するものである。
口内清掃特に舌上清掃は外皮等のケアと比べて清掃時の使用感、快適性の追及が大きく立ち遅れている分野といえる。
【０００３】
【従来の技術】
従来にあっては、舌の表面には無数の糸状乳頭があり、ここにたまる食べ物の残りかす等の付着物から黴菌、細菌、微生物等発生すると口臭や口内炎等の原因となる舌苔が発生することから、この舌苔を除去する舌清掃具としては、特に本発明に関連するものとして次のＡ〜Ｍの技術が見受けられる。
Ａ特許第３２４９４６９号
Ｂ実登第３０６９８２９号
Ｃ実登第３０６９５４１号
Ｄ特開２００２−０９５６０６
Ｅ特開２００１−０６１８４９
Ｆ特開２００１−００８７３４
Ｇ特開平０９−３０８６４１
Ｈ実開平０７−０２５８２７
Ｉ実開平０６−０１７７１３
Ｊ実開平０５−０９３４１８
Ｋ実開昭６４−０３９７１１
Ｌ実開昭５８−１９５５９０
Ｍ特表平０９−５０７７７５
【０００４】
上記舌清掃具は、確かに口臭や歯周病などの原因となる黴菌から口内を保護しうるものでありその点で有用である。
しかし、舌清掃具において、最も重要な、舌から苔等の異物を除去する擦過縁(２１)の具体的的構成については、何ら示唆するところは無かった。
【０００５】
しかし、たとえ黴菌から口内を保護する目的を重視するにしても、口内特に舌上は神経が極端に集中している部位のため敏感であり、出来うる限りここちよい感覚で取り除きたいと考えるのが通常人の意思であるといえる。
もっとも一方では神経の集中化は効果的な清掃手段によって舌の機能を飛躍的に高める効果を得ることができるともいえる。
前記従来例では特に舌と舌の清掃具の角度についての考察は特になく、舌苔を取り除くための機能のみを重視する形態は決して望まれるべきものではなく、舌の保護、活性化の観点からも、より快適に舌苔を取り除く必要があり前記技術には舌清掃具としての十分な工夫、自由性、考察が欠けていたといわざるを得ない。
【０００６】
【発明が解決しようとする課題】
本発明は上記事情に鑑みてなされたものであり、黴菌による口内特に舌上を清潔に保つ掻き取り機能の向上と、掻き取り時の使用感、快適感を飛躍的に高めることが主な課題である。
舌上は最も身体に置いて過敏な部位の一つであり、通常の素肌等とは扱いにおいて当然異なり慎重かつ繊細な対応が要求されている。
【０００７】
又個人間差に関しても、その量的差異は認められるものの、その快適感の存否は誰しもが認めるところであり、これは後述する使用実験の集積結果からも明らかである。
このことから舌の清掃において使用感、快適感を追求することは普遍的な要求であるといえる。
【０００８】
前記従来の技術にはこの使用感や掻き取りの緻密さに関する示唆はなく、本件発明者は、掻き取り時の使用感を最善のものとするために、本件発明者は、図７、図８に示すような試行錯誤を行ない、その結果を踏まえて本発明に至ったものである。
【０００９】
図7の試作例は、グリップ(３)にアーム(４)を介してヘッド(２)を取付けた舌の清掃具(１)を仮想平面(５)上に載置した状態の右側断面図であり、グリップ(３)とアーム(４)の関係や、アーム(４)に対するヘッド(２)の屈折程度や擦過角度の未完成例である。
アーム(４)とヘッド(２)はヘッド上端部(２２)においてアーム(４)の伸延方向角度４５度未満すなわち鋭角に屈折し、又擦過縁(２１)においてヘッド(２)は仮想平面(５)に対して角度４５度未満すなわち３８〜４０度の入射角となっている。
【００１０】
図８の試作例は、グリップ(３)にアーム(４)を介してヘッド(２)を取付けた舌の清掃具(１)を仮想平面(５)上に載置した状態の右側断面図であり、グリップ(３)とアーム(４)の関係や、アーム(４)に対するヘッド(２)の屈折程度や擦過角度の未完成例である。
アーム(４)とヘッド(２)はヘッド上端部(２２)においてアームの伸延方向角度４５度より大きい角度である６０度位に屈折し、又擦過縁(２１)においてヘッド(２)は仮想平面(５)に対して角度４５度より大きな６０度の入射角となっている。
この試作例では、ヘッド(２)の湾曲具合が直径１２ｃｍの円弧形状で、かつヘッド(２)の擦過縁(２１)が６０度では、刺激が強く使用時にヒリヒリ感が残るものであった。
【００１１】
図７及び図８の試作例は、数十名のテスターによって試用ののところ後述のように、刺激が強く不快感が生じることもあり、舌の清掃具(１)において、最も重要な、擦過縁(２１)の形成する擦過角度に技術的課題を残したものであった。
【００１２】
更に舌苔を掻き取る上で、吸引装置を利用して掻きとりその後吸引するものが従来例では見受けられる。
これは清掃能力の観点からするとより確実そして迅速に舌苔を取り除くことが可能となり非常に有効である。
【００１３】
ところが吸い込み力の強さからその使用感、快適性は手動のものに比べてより大きく阻害され機能として手動式よりも後退するといえる。
実際吸引時舌が吸引口より吸い込まれ舌は吸い込まれることによって大きな不快感を伴うのみならず、傷つけてしまうことになる。これは前述のとおり感覚神経が集中し重要な部位である舌における清掃用具としてはあまりにも大きな欠点といわざるを得ない。
【００１４】
調整のため従来例では管に孔を空けて吸い込み力を調整できるよう構成されているものが見当たるものの、あくまでも舌が吸入孔に吸い付いてしまうことが前提となっておりやはり使用感、快適性の課題は解決されていない。
吸引力の調整ばかりではなく、擦過縁の当接角度が、ここでも重要な課題である。
【００１５】
更に身体に障害をもっている方及び病気にて療養中の方等は体力的にひとりで満足に口内清掃をすることができないことがある。
このような場合、掻きだすこと自体が大きな負担となっているものである。
掻きだす行為は腕を不安定な状態で大きく動かさなければいけないため、この点僅かな動作にて口内清掃を行えるようにすることも重要な課題である。
わずかな動作にて操作できれば、より多くの利用が可能になる。もっとも健常者においてその利便性はなんらかわることがない。
【００１６】
【課題を解決するための手段】
上記課題を解決するために本発明の舌の清掃具(１)は、快適にかつ舌の上を傷つけることなく舌苔を取り除くためにアーム(４)の長手方向に対してヘッド(２)を４５度傾け、更にヘッド(２)を湾曲させることにより掻き上げた舌苔を取りこぼさずスムーズに取り除くことができ、グリップ(３)の腹点(３１)と擦過縁(２１)とにより一義的に決定される仮想平面(５)に対して、その入射角度４５度を備えることにより神経の集中している舌上を傷つける事なく、また心地よい感覚で取り除くことが出来る舌の清掃具(１)を提供するものである。
【００１７】
またヘッド(２)の湾曲は、従来加工機器による加工のしやすさもあり、ヘッド(２)面の強度確保のため球状の曲面をもつ舌の清掃具(１)をも提供するものである。
ヘッド(２)の内側湾曲は、掻き上げた舌苔をその曲面に付着させ取りこぼさずスムーズに取り除くことができる。
【００１８】
更に病院や医院等業務上恒常的に使用する場合等を想定し、エアー吸引機を利用して、強制的に舌苔を掻きとり吸い取るため、ヘッド(２)には扇貫通孔(２３)、アーム(４)及びグリップ(３)には筒貫通孔(４１)が設けられ、扇貫通孔(２３)端部に設けられた扇開口部(２３１)及び側端部を小開する連通開口部(２４)より吸い込まれた舌苔が両孔を通過排斥できるように構成されている舌の清掃具(１)を提供するものである。
【００１９】
本発明の実施例では、素材や寸法についても、改良を加えた。
口内で使用する道具であるので、実際の使用において課題が発見できたからである。
【００２０】
ここに本発明は、アーム(４)に対してヘッド(２)の取り付け角度を４５度屈折しかつ湾曲した擦過縁(２１)下端が一様に舌(６)に接する状態における平面入射角度を４５度とするようにグリップ(３)にアーム(４)を介してヘッド(２)を設けたことを特徴とする舌の清掃具である。
【００２１】
擦過縁(２１)は使用する際にほぼその全面が均等の圧力を舌上に及ぼすように仮想平面(５)に対して水平に形成してある。
擦過縁(２１)は使用する際にほぼその下端全面が舌面に水平に当接する。
【００２２】
強度について説明すると、アーム(４)のつけ根はヘッド(２)の屈折部に比較して、若干強度を落としてある。
そのため無理な力がヘッド(２)にかかった場合まずアーム(４)が折れ曲がるため、事故を未然に防ぐことが可能である。
【００２３】
又、異なる実施例として、アーム(４)をグリップ(３)に進退自在に設けたものも提供する。
全体としては伸縮型になり、携帯に便利でもある。
この場合の第一の例として、アーム(４)にはレバー(７)が設けられ、グリップ(３)に設けられたレバー孔(７１)に沿ってレバー(７)が前後自在に動作することで、アーム(４)他端に連結されているヘッド(２)を前後に動かすことができる。これによって大きな掻きとり動作が不要になり一定の角度にて舌苔を取り除くことをより確実なものにする。
【００２４】
第二の例として、グリップ(３)内にローラー(８)が設けられローラー(８)を回転させることによりその摩擦がアーム(４)をグリップ(３)内より押し出し、また引き込めるようになっており、より少ない動作にて舌苔除去することを可能にする。
これらも実験の結果得られた舌(６)に対する擦過角度を４５度に保つためのひとつの手段でもある。
【００２５】
掻き取った舌苔を効率よく口内より除去するため、舌の清掃具(１)に吸引装置を設けることも可能である。
この自動吸引型の清掃具は、ヘッド(２)及びアーム(４)内には、扇貫通孔(２３)が設けられ、グリップ(３)には筒貫通孔(４１)が設けられている。
扇貫通孔(２３)は擦過縁(２１)近傍に扇開口部(２３１)を備え、かつ側端部に小開口部を設け瞬時に掻き取った舌苔を取り除くことを可能にする。
【００２６】
自動吸引型の清掃具においても、最も除去がスムーズで吸引効率の良い角度４５度が適用される。
又、ヘッド(２)及びアーム(４)とグリップ(３)とを進退自在に設けることもできる。
ヘッド(２)及びアーム(４)の底面部は上記扇貫通孔(２３)のつまりを視認できるように、つまりを防止するため透明にしている。
【００２７】
【発明の実施の形態】
【実施例】
図１〜図３及び図４に示すものは、同じ実施形態の舌の清掃具(１)である。
図１はグリップ(３)にアーム(４)を介してヘッド(２)を取付けた舌の清掃具(１)を仮想平面(５)上に載置して右斜め後方より眺めた図である。
アーム(４)とヘッド(２)はヘッド上端部(２２)中央にて連結されている。
アーム(４)のつけ根は、ヘッド(２)の屈折首部に比較して、曲りやすい強度設計になっている。
【００２８】
図１は、擦過縁(２１)を構成する線分とグリップ(３)面上の腹点とからなる仮想平面(５)に対して擦過縁(２１)をうつ伏せにした状態の全体斜視図であるが、ヘッド(２)とアーム(４)の取付け角度、ヘッド(２)の仮想平面(５)への入射角度、この角度における擦過縁(２１)の下端全体が仮想平面(５)に当接する特徴がある。
【００２９】
アーム(４)によってグリップ(３)とヘッド(２)は連結されており特にヘッド(２)はヘッド(２)上端部の中央にて固定連結されその固定点近傍における角度をアーム(４)の伸延方向に対して略４５度頭を下げるような形に構成されている。
【００３０】
さらに擦過縁(２１)において前記仮想平面(５)への入射角は４５度となっている。
ヘッド(２)の先端は、上面視で弧状に湾曲している
ヘッド(２)面は直径１４ｃｍの球表面の一部となっている。当該寸法の球面の一部として構成したことにより、ヘッド(２)の裏面に掻き出された舌苔を順次押し上げてうまく付着して落下させることなく掻き出すことができる。又弧状に湾曲しているので中央に寄せ集めることができる。
ヘッド(２)面の球表面の形状は、少なくとも直径１４ｃｍ〜１３ｃｍの球面体であることが好ましい。直径１２ｃｍ程度の湾曲で湾曲度が低いと、下の中央部に刺激が強く感じられて、好ましくないのは上述の通りである。
【００３１】
図２はグリップ(３)にアーム(４)を介してヘッド(２)を取付けた舌の清掃具(１)を仮想平面(５)上に載置した状態の右側面断面図である。
アーム(４)とヘッド(２)はヘッド上端部(２２)においてアーム(４)の伸延方向角度４５度に屈折し、又擦過縁(２１)においてヘッド(２)は仮想平面(５)に対して４５度の入射角となっているので、「ケズル」や「カジル」という接触感ではなく、「なでる」感覚で、舌の汚れや苔を取り出すことができる。
本実施例では、「なでる」使用感で、かつ舌を痛めることなく、無理なく舌苔を除去できる。
【００３２】
図２のように、擦過縁(２１)を構成する線分とグリップ面上の腹点とからなる仮想平面(５)に対して擦過縁(２１)をうつ伏せにした状態は、実際の使用形態に該当する。
ヘッド(２)はヘッド上端部の中央にて固定連結されその固定点近傍における角度をアーム(２)の伸延方向に対して略４５度頭を下げるような形に構成されていて、口中に差し入れて、そのままで擦過縁(２１)において入射角４５度を実感できるものとなっている。
ヘッド面はこの実施形態では、直径１４ｃｍの球表面の一部となっている。
【００３３】
図３はグリップ(３)にアーム(４)を介してヘッド(２)を取付けた舌の清掃具(１)を仮想平面(５)上に載置した状態であり、上から円左回りに右側断面図、底面図、平面図となっている。
擦過縁(２１)の外縁は直径１４ｃｍの円弧に沿っており、ヘッド上端部(２２)の円弧は直径１２ｃｍの円弧に沿っている。
【００３４】
ヘッド(２)の面が球面となっていることを表現するために、円図形を記載している。
擦過縁(２１)の端部の円弧は直径１４ｃｍの円弧上に乗っており、ヘッド上端部(２２)は上面視からの湾曲は直径１２ｃｍの円弧上に乗っている。
【００３５】
図４はグリップ(３)にアーム(４)を介してヘッド(２)を取付けた舌の清掃具(１)を実際に使用している状態を右側面より眺めたもので、舌に対して使用している状態の右側面断面図である。
【００３６】
アーム(４)によってグリップ(３)とヘッド(２)は連結されており、特にヘッド(２)はヘッド上端部(２２)の中央にて固定連結されその固定点近傍における角度をアーム(４)の伸延方向に対して略４５度頭を下げるような形に構成されている。
そしてヘッド面は直径１４ｃｍの球表面の一部となっている。
擦過縁(２１)において前記舌への入射角は４５度となっている。
この構成において、「ケズル」や「カジル」「ヒッカク」ではなく、「なでる」使用感と、実質的効率的な舌苔の除去ができた。
【００３７】
図５は、図１〜図４の実施形態とは異なる態様であり、図示していない吸引機にセットして試用される自動吸引型の清掃具(１)の分斜視図である。
アーム(４)及びグリップ(３)及びヘッド(２)は分解連結自在に構成されている。図５は分離した状態の舌の清掃具(１)であって仮想平面(５)上に載置し右斜め後方より眺めた図である。
アーム(４)及びグリップ(３)の内部にはアーム長手方向に伸延した筒貫通孔(４１)を設けており、ヘッド(２)内部にはそのヘッド(２)の湾曲に沿ってアーム長手方向に対して角度４５度に伸延した扇貫通孔(２３)が設けてある。
【００３８】
扇貫通孔(２３)は擦過縁(２１)に設けられた扇開口部(２３１)において開口しており、擦過縁(２１)によって掻き取られた舌苔の吸い取り口となっている。
グリップ(３)後方に取付けられた吸引機によって扇開口部(２３１)より吸い取られた舌苔は、扇貫通孔(２３)、筒貫通孔(４１)を順次通り抜けるようになっている。
又、擦過縁(２１)の両端部には小開口する連通開口部(２４)が設けられており、空気が微小流入するようになっている。
この連通開口部(２４)の存在で、吸引と除去が「なでる」ように行なわれる。
単に従来例のように吸引口を設けて吸引すると、舌に吸引口が付着して引っ張る感覚で引き剥がされる感覚で、永年の使用に耐えがたい。
【００３９】
自動吸引型の清掃具(１)は、擦過縁(２１)を構成する線分とグリップ面上の腹点(３１)とからなる仮想平面(５)に対して擦過縁(２１)をうつ伏せにした状態で水平になる全体形態である。
アーム(４)とヘッド(２)はヘッド上端部(２２)においてアーム(４)の伸延方向角度４５度に屈折し、又前記扇貫通孔(２３)は仮想平面(５)に対して４５度の入射角となっているので、「なでる」感覚で、舌の汚れや苔を吸い出しり出すことができる。
【００４０】
アーム(４)及びグリップ(３)の内部には、アーム長手方向に伸延した筒貫通孔(４１)を設けてあり、ヘッドの前記扇貫通孔(２３)縁によって掻き取られた舌苔が吸い取られ通り抜けることができるような構成になっている。
擦過縁(２１)両端部には小開口する連通開口部(２４)が設けられており、空気が微小流入するようになっている。
【００４１】
図６は前記図５の舌苔吸い込み機能を設けた実施形態におけるヘッド(２)の底面図である。
擦過縁(２１)に沿って扇貫通孔(２３)の端部である扇開口部(２３１)が設けられ、開口部左右端部側面に更に小開口する連通開口部(２４)が設けられている。
連通開口部(２４)は扇開口部と比較して十分小さい孔であり、吸引の際舌(６)によって扇貫通孔(２３)が完全に密閉された状態において空気の逃げを作り、結果的に舌を傷つくことを防いでいる。
【００４２】
アーム(４)から扇開口部(２３１)にかけては透明な素材で構成されており、中の状態を確認することができる。
全体の素材は、合成樹脂製であるが、アーム(４)から扇開口部(２３１)にかけては透明な素材で構成されているので、つまり具合や、とれ具合を確認することができる。
又、ヘッド(２)及びアーム(４)がグリップ(３)に進退自在に連結されるように設けることもできる。
【００４３】
図９及び図１０の実施形態は、図１〜図４に示す舌の清掃具において、ヘッド(２)を備えたアーム(４)をグリップ(３)に進退自在に設けた舌の清掃具である。
【００４４】
図９は、アーム(４)の後端部がグリップ(３)に所定深さと所定方向で収納自在であり、アーム(４)にレバー(７)が取付けられ、グリップ(３)に設けられたレバー孔(７１)にそって前記レバー(７)をスライドさせることによってアーム(４)の伸延方向端部に取付けられたヘッド(２)を進退自在に動かすことができる構造を示している。
ヘッド(２)をアーム(４)に対して４５度に設定し、かつ仮想平面(５)に対して４５度の入射角をヘッド(２)が進退したどの状態でも維持している。
レバー(７)を指先で前後動させることで、舌苔を「なでる」ように除去できる。口の中で、全体を前後動しなくてすむので、自動吸引型同様に、寝たきりの方の介護用具としても利用できる。伸縮するので携帯性もある。
【００４５】
図１０は、グリップ(３)内に設けられたローラー(８)を回転させることによりその摩擦でアーム(４)を前に押し出し若しくは引き込む構造を右側断面図としたものである。
【００４６】グリップ(３)には自由に回転運動可能なローラー(８)が設けられ、その摩擦によってアーム(４)は前後自由に移動できるように構成されている。
ただし完全に抜け出てしまわないように、アーム後端には凸部が設けられている。
アーム(４)に対してのヘッド(２)の屈折角度は４５度に設定し、かつ仮想平面(５)に対して擦過縁(２１)が４５度の入射角を維持するように設計している。
ローラー(８)を指先で回動させることで、アーム(４)は前後動し、舌苔を「なでる」ように除去できる。
【００４７】
次に一実施例について説明する。
図1〜図4及び図９と図１０に示す舌の清掃具の実施例は、ヘッド(２)を備えたアーム(４)を黄銅を素材として成型した金属製であり、型抜き成型後に、ヘッド(２)に球面加工をして正確に角度を４５度に屈折加工をしたものを金メッキし、合成樹脂製のグリップ(３)に取付けたものである。
黄銅を素材としているので、ステンレス材等に比べて、高級感がある。
図1〜図4に示す舌の清掃具は、全長１４，５ｃｍで、ヘッド(２)の巾は４ｃｍで高さは９ｍｍである。尚実施例での寸法は、本発明を限定するものではない。
【００４８】
【発明の効果】
以上説明したように本発明の舌の清掃具は、次のような技術的効果がある。
(a)ヘッドは直径14ｃｍの湾曲をもち、擦過縁が４５度の屈折をもつために、「ケズル」や「カジル」という違和感がなく、「なでる」感覚で舌面に平行に移動できて、舌の中央部を強く刺激することなく舌苔を除去できる。
(b)舌苔を簡便に、安全に取り除くことが出来、より心地よい感覚で舌を傷つける事なく口内清掃ができる。
(c)ビール等刺激物を飲酒する場合、ヘッド角度４５度が最も舌の感覚が鋭敏となり、舌苔によって阻害されていた感覚を最も強く感じることができ、飲酒をより楽しめるばかりではなく、適度な飲酒を行なうことが可能になり、体の健康維持に大きく役に立つものである。
(d)掻き出した舌苔がヘッドの裏面湾曲に沿ってロール状にまとまりペースト状の舌苔を取りこぼす事なくきれいに取り除くことができる。
(e)舌苔を吸引する際、舌を吸引力によって傷つけることが少ない。
(f)身体に障害のある方でも低負荷で掻き取ることができる。
(g)進退自在に構成した舌の清掃具では、前記効果のほかに、少ない動作によって口中で前後動して舌苔を除去できるし、又携帯性にも優れている効果がある。
【００４９】
図１１は、本発明に係る舌の清掃具の試用に基づく、使用感、快適感についてのデータに基づいたグラフである。
快適と感じた人数の最大値は３０人である。
入射角は０〜９０度を定義域として取り、角度３０度以下及び角度５０度以上は快適と感じた人数は０人であった。
角度４５度近傍においてその快適と感じた人数は突出し、是を前後に人数は急激な下降線となっている。
【００５０】
実験は同条件にて複数回行われたものであり、図１１のグラフはその極値として与えられたものである。図１１のグラフにより、本発明の効果が顕著になった。
【図面の簡単な説明】
【図１】本発明に係る舌の清掃具の一実施形態を示す斜視図。
【図２】本発明に係る舌の清掃具の一実施形態を示す右側面断面図。
【図３】本発明に係る舌の清掃具のヘッドの球面を表す説明図。
【図４】本発明に係る舌の清掃具の一実施形態であり使用状態を示す右側面断面図である。
【図５】本発明に係る舌の清掃具の一実施形態を示す斜視図である。
【図６】本発明に係る舌の清掃具の一実施形態を示す部分底面図である。
【図７】本発明に至る過程における未完成試作例を示す右側面断面図である。
【図８】本発明に至る過程における未完成試作例を示す右側面断面図である。
【図９】本発明に係る進退自在に前後動する舌の清掃具の一実施形態を示す斜視図である。
【図１０】本発明に係るローラ-で進退自在に前後動する舌の清掃具の一実施形態を示す右側面断面図である。
【図１１】本発明に係る舌の清掃具を使用したときの使用快適感分布グラフである。
【符号の説明】
１      舌の清掃具
２      ヘッド
２１    擦過縁
２２    ヘッド上端部
２３    扇貫通孔
２３１  扇開口部
２４    連通開口部
３      グリップ
３１    腹点
４      アーム
４１    筒貫通孔
５      仮想平面
６      舌
７      レバー
７１    レバー孔
８      ローラー
【図１】
0003760140.tif 000002
【図２】
0003760140.tif 000003
【図３】
0003760140.tif 000004
【図４】
0003760140.tif 000005
【図５】
0003760140.tif 000006
【図６】
0003760140.tif 000007
【図７】
0003760140.tif 000008
【図８】
0003760140.tif 000009
【図９】
0003760140.tif 000010
【図１０】
0003760140.tif 000011
【図１１】
0003760140.tif 000012